(57)【要約】【課題】  ポンプ部材の連結部の加工工数および加工コストを低減することができるとともに、連結される両ポンプ部材間での芯出しを容易とすることができる多連ポンプ装置を提供すること。【解決手段】  複数のポンプ部材１１，１２には、その全てに回転伝達用のシャフト部材１１２，１２２が設けられており、該シャフト部材１１２，１２２には、その端部に雄又は雌の接続部１１２ａ，１２２ａが形成されており、該接続部１１２ａ，１２２ａは、該接続部接続部１１２ａ，１２２ａを有するポンプ部材１１，１２の端面より突出しており、一のシャフト部材１１２に設けられた雄の接続部１１２ａと他のシャフト部材１２２に設けられた雌の接続部１２２ａとを嵌合させることによりポンプ部材１１，１２同士が連結されることを特徴としている。【選択図】  図１
2006283573.tif 000002
【特許請求の範囲】
【請求項１】
複数のポンプ部材が連結されることにより構成される多連ポンプ装置において、
前記複数のポンプ部材には、その全てに回転伝達用のシャフト部材が設けられており、
該シャフト部材には、その端部に雄又は雌の接続部が形成されており、
該接続部は、該接続部を有するポンプ部材の端面より突出しており、
一の前記シャフト部材に設けられた雄の接続部と他の前記シャフト部材に設けられた雌の接続部とを嵌合させることにより前記ポンプ部材同士が連結されることを特徴とする多連ポンプ装置。
【請求項２】
接続部は、インボリュートスプライン機構により構成されていることを特徴とする請求項１記載の多連ポンプ装置。
【請求項３】
ポンプ部材には、雄又は雌の接続部側にシャフト部材を支持するブッシュ部材が設けられていることを特徴とする請求項１又は２に記載の多連ポンプ装置。
【請求項４】
ブッシュ部材は、隣接するポンプ部材との接触面部に形成された凹部に嵌め込まれていることを特徴とする請求項３記載の多連ポンプ装置。
【請求項５】
ブッシュ部材は、隣接するポンプ部材から突出したシャフト部材の端部を支持することを特徴とする請求項３又は４に記載の多連ポンプ装置。
【発明の詳細な説明】
【技術分野】
【０００１】
本発明は、複数のポンプ部材が接続されることにより構成される多連ポンプ装置に関する。
【背景技術】
【０００２】
ポンプ装置の中には、複数のポンプ部材を組み合わせることによって構成される多連ポンプ装置がある。ここで、従来技術においては、ポンプ部材９０ａ，９０ｂ相互の連結には、図４に示すような、インロー機構９１が用いられていた。インロー機構９１は、二つの部材（本発明においてはポンプ部材９０ａ，９０ｂ）を連結するために、一のポンプ部材９０ａに形成された凹部９１ａと他のポンプ部材９０ｂに形成された凸部９１ｂとによって構成されている。また、このインロー機構９１とは別に、シャフト９２，９３の接続部分９２ａ，９３ａを有している。そして、この凹部９１ａと凸部９１ｂとを嵌合させるとともに、シャフト９２，９３の接続部分９２ａ，９３ａ同士をギヤ９６により互いに嵌合させることにより、二つのポンプ部材９０ａ，９０ｂ同士を強固に連結することが可能となるのである（図中のＮｏ．１及びＮｏ．２がポンプ部材の境目）。
【特許文献１】実開昭６２−１７３５７５号公報
【発明の開示】
【発明が解決しようとする課題】
【０００３】
しかしながら、両ポンプ部材９０ａ，９０ｂのハウジング部材９４，９５同士を連結させるインロー機構９１と両ポンプ部材９０ａ，９０ｂのシャフト部材９２，９３を軸受９７，９８を介して軸支持している両ハウジング部材９４，９５の内径部９４ａ，９５ａとの軸芯合わせ加工を非常に高精度で行わないと、ポンプ部材９０ａ，９０ｂを作動させる上で最も重要なシャフト部材９２，９３同士を接続した際に芯がズレるという不具合があった。なぜなら、上記インロー機構９１のうち凸部９１ｂを有するポンプ部材９０ｂにおいては、該凸部９１ｂが外径側となるので、その該凸部９１ｂの成形加工と内径部９５ａの成形加工とを同時に行うことができないため、両者間での同軸芯が出し難い構造であるからである（補足すると、凸部を成形加工する場合と凹部を成形加工する場合とでは、切削刃を変更しなければならないため、同軸芯がでない。）。
【０００４】
このように、ポンプ部材９０ａ，９０ｂを接続するに当たり、シャフト部材９２，９３同士を接続した際に芯がズレるという不具合があった。換言すれば、従来のポンプ装置９０においては、これらポンプ部材９０ａ，９０ｂを接続する際に、インロー機構９１の接続部分９１ａ，９１ｂとシャフト９２，９３の接続部分９２ａ，９３ａという同軸上で２箇所（二つの接続部分）の軸芯合わせを必要とする構造を有していた。
【０００５】
そこで、案出されたのが本発明であって、本発明は、ポンプ部材の連結部の加工工数および加工コストを低減することができるとともに、連結される両ポンプ部材間での芯出しを容易とすることができる多連ポンプ装置を提供することを目的としている。
【課題を解決するための手段】
【０００６】
この目的を達成するため、独立形式の請求項である、請求項１に記載の多連ポンプ装置は、複数のポンプ部材が連結されることにより構成されるものであって、前記複数のポンプ部材には、その全てに回転伝達用のシャフト部材が設けられており、該シャフト部材には、その端部に雄又は雌の接続部が形成されており、該接続部は、該接続部を有するポンプ部材の端面より突出しており、一の前記シャフト部材に設けられた雄の接続部と他の前記シャフト部材に設けられた雌の接続部とを嵌合させることにより前記ポンプ部材同士が連結されることを特徴としている。
【０００７】
この請求項１記載の多連ポンプ装置によれば、シャフト部材自体に雄又は雌の接続部が形成されるとともに、該接続部がポンプ部材の端面より突出する構成とされている。このため、多連ポンプ装置を構成するためにポンプ部材同士を連結する場合、一の前記シャフト部材に設けられた雄の接続部と他の前記シャフト部材に設けられた雌の接続部とを嵌合させれば良い。なお、更にこの後、ポンプ部材同士をネジ止めにより強固に連結させれば良い。
【０００８】
従属形式の請求項である請求項２から５に記載の多連ポンプ装置は、いずれも、独立形式の請求項である請求項１記載の発明の構成要件を全て具備するとともに、その作用効果も具備している。
【発明の効果】
【０００９】
請求項１に記載の多連ポンプ装置によれば、ポンプ部材の連結部の加工工数および加工コストを低減することができるとともに、連結される両ポンプ部材間での芯出しを容易とすることができるという効果を奏する。
【００１０】
請求項２から５に記載の多連ポンプ装置によれば、いずれも、請求項１記載の多連ポンプ装置を奏する効果を有する。
【発明を実施するための最良の形態】
【００１１】
以下、添付図面を参照して、本発明を実施するための好適な実施の例（実施例）について説明する。勿論、本発明の技術的範囲は、下記実施例そのものに何ら限定されない。
【実施例１】
【００１２】
図１は、本発明の第１の実施例（以下、実施例１という。）である、図１に示すように、実施例１の多連ポンプ装置１は、基礎ポンプ部材１１と、連結ポンプ部材１２とによって構成されている。基礎ポンプ部材１１及び連結ポンプ部材１２は、共にベーンポンプであって、基礎ポンプ部材１１は、駆動装置Ａに直接に連結されており、連結ポンプ部材１２は、基礎ポンプ部材１１に連結されている。
【００１３】
基礎ポンプ部材１１は、基礎ポンプ側ハウジング部材１１１と、基礎ポンプ側シャフト部材１１２と、ベーン、ロータおよびカムリングから成る基礎ポンプ側カートリッジ部材１１３と、基礎ポンプ側ベアリング部材１１４と、基礎ポンプ側シール部材１１５と、基礎ポンプ側ブッシュ部材１１６と、基礎ポンプ側サイドプレート部材１１７と、基礎ポンプ側軸受部材１１９とを備えている。
【００１４】
基礎ポンプ側ハウジング部材１１１は、基礎ポンプ部材１１のハウジング部を構成するものであり、この基礎ポンプ側ハウジング部材１１１内に、基礎ポンプ側シャフト部材１１２、基礎ポンプ側カートリッジ部材１１３、基礎ポンプ側ベアリング部材１１４、基礎ポンプ側シール部材１１５、基礎ポンプ側ブッシュ部材１１６、及び、基礎ポンプ側サイドプレート部材１１７が配設されている。
【００１５】
基礎ポンプ側シャフト部材１１２は、駆動装置Ａの発生した回転力を伝達するものである。この基礎ポンプ側シャフト部材１１２の連結ポンプ部材１２側の端部には、図２に示すように、インボリュートスプライン機構により構成される雄の接続部１１２ａが形成されている。
【００１６】
基礎ポンプ側カートリッジ部材１１３は、基礎ポンプ側シャフト部材１１２に取付固定されており、基礎ポンプ側シャフト部材１１２の回転と同期して回転するものである。カムリングを除くこのカートリッジ部材１１３の回転により、圧油が吐出される。
【００１７】
基礎ポンプ側ベアリング部材１１４は、基礎ポンプ部材１１の駆動装置側の端部１１ａに配設されており、基礎ポンプ側シャフト部材１１２の他端部１１２ｂを回動自在に軸支している。基礎ポンプ側シール部材１１５は、基礎ポンプ部材１１の駆動装置Ａ側の端部からの油漏れを防止するものであり、基礎ポンプ側ベアリング部材１１４に隣合うように設けられている。
【００１８】
基礎ポンプ側ブッシュ部材１１６は、基礎ポンプ部材１１の連結ポンプ部材１２側の接触面部１１ｂに形成された基礎ポンプ側凹部１１ｃに嵌め込まれており、後述する連結ポンプ側シャフト部材１２２を回動自在に軸支している。この基礎ポンプ側凹部１１ｃは、基礎ポンプ部材１１の基礎ポンプ側シャフト部材１１２を軸支持するための基礎ポンプ側軸受部材１１９を嵌入するための基礎ポンプ側軸受用内径部１１８と同時加工されることにより、基礎ポンプ側軸受用内径部１１８との同軸芯を有している。
【００１９】
他方、連結ポンプ部材１２は、連結ポンプ側ハウジング部材１２１と、連結ポンプ側シャフト部材１２２と、ベーン、ロータ及びカムリングから成る連結ポンプ側カートリッジ部材１２３と、連結ポンプ側シール部材１２４と、連結ポンプ側サイドプレート部材１２５とを備えている。連結ポンプ側ハウジング部材１２１は、連結ポンプ部材１２のハウジング部を構成するものであり、この連結ポンプ側ハウジング部材１２１内に、連結ポンプ側シャフト部材１２２、連結ポンプ側カートリッジ部材１２３、連結ポンプ側シール部材１２４、及び、連結ポンプ側サイドプレート部材１２５が配設されている。
【００２０】
連結ポンプ側シャフト部材１２２は、駆動装置Ａの発生した回転力を伝達するものであり、この連結ポンプ側シャフト部材１２２の基礎ポンプ部材１１側の端部には、図２に示すようなインボリュート機構により構成される雌の接続部１２２ａが形成されている。そして、この連結ポンプ側シャフト部材１２２の雌の接続部１２２ａと前述の基礎ポンプ側シャフト部材１１２の雄の接続部１１２ａとを接続することによって、連結ポンプ側シャフト部材１２２と基礎ポンプ側シャフト部材１１２とが連結されるのである。更に、インボリュート機構を介して接続されているので、両シャフト部材１１２，１２２を連結した状態で回転することにより、両シャフト部材１２１，１２２の大まかな芯出しを自動的に行うことができるのである。
【００２１】
また、連結ポンプ側シャフト部材１２２の雌の接続部１２２ａは、前述の通り、基礎ポンプ部材１１の基礎ポンプ側凹部１１ｃ内に配設された基礎ポンプ側ブッシュ部材１１６により支持されている。このように、基礎ポンプ部材１１側の基礎ポンプ側シャフト部材１１２と連結ポンプ部材１２側の連結ポンプ側シャフト部材１２２とを連結させるだけで、両シャフト部材１１２，１２２の軸芯が完全に一致し、連結ポンプ部材シャフト部材１２２の円滑な回動を阻害してしまうことを防止することができるのである。この芯出しを行った後、ハウジング部材１１１，１２１同士を図示しないボルト等でネジ止め固定すれば、多連ポンプ装置として完成するのである。
【００２２】
連結ポンプ側カートリッジ部材１２３は、連結ポンプ側シャフト部材１２２に取付固定されており、連結ポンプ側シャフト部材１２２の回転に伴ってカムリングを除くロータ、ベーンのみが同期して回転し、連結ポンプ部材１２として圧油を吐出する。
【００２３】
連結ポンプ側シール部材１２４は、基礎ポンプ部材１１の作動油と連結ポンプ部材１２の作動油とを分離するためのものであり、連結ポンプ部材１２の端部に形成された連結ポンプ側凹部１２ａに嵌め込まれている。
【実施例２】
【００２４】
次に、図３を参照して、本発明の第２の実施例（実施例２）について説明する。実施例２を説明するに当たり、実施例１と同一の構成には同一の符号を付して説明を省略し、異なる部分に重点をおいて説明する。
【００２５】
図３に示す実施例２の多連ポンプ装置２は、基礎ポンプ部材１１と、第１連結ポンプ部材２１と、第２連結ポンプ部材２２とによって構成されている。第１連結ポンプ部材２１および第２連結ポンプ部材２２も、ベーンポンプにより構成されている。基礎ポンプ部材１１は、実施例１の基礎ポンプ部材１１と同一の構成であるために、その詳細な説明を省略する。
【００２６】
第１連結ポンプ部材２１は、第１連結ポンプ側ハウジング部材２１１と、第１連結ポンプ側シャフト部材２１２と、ベーン、ロータ及びカムリングからなる第１連結ポンプ側カートリッジ部材２１３と、第１連結ポンプ側シール部材２１４と、第１連結ポンプ側ブッシュ部材２１５と、第１連結ポンプ側サイドプレート部材２１６と、第１連結ポンプ側軸受部材２１７とを備えている。ここで、第１連結ポンプ部材２１は、実施例１の連結ポンプ部材１２に対して、第１連結ポンプ側シャフト部材２１２の両端部に夫々、インボリュート機構を構成する雄の接続部２１２ａ及び雌の接続部２１２ｂが形成されている点、雄の接続部２１２ａの形成側に第１連結ポンプ側ブッシュ部材２１５が配設されている点において特に相違する。
【００２７】
第２連結ポンプ部材２２は、第２連結ポンプ側ハウジング部材２２１と、第２連結ポンプ側シャフト部材２２２と、同じくベーン、ロータ及びカムリングからなる第２連結ポンプ側カートリッジ部材２２３と、第２連結ポンプ側シール部材２２４と、第２連結ポンプ側サイドプレート部材２２５とを備えている。そして、この第２連結ポンプ部材２２は、連結する対象が基礎ポンプ部材１１でなく第１連結ポンプ部材２１であるだけで、その構成は、連結ポンプ部材１２と略同一である。第２連結ポンプ側シャフト部材２２２の端部に形成された雌の接続部２２２ａは、インボリュート機構により構成されており、第１連結ポンプ側シャフト部材２１２の雄の接続部２１２ａに連結されている。また、雌の接続部２２２ａは、第１連結ポンプ部材２１の端部に形成された第１連結ポンプ側凹部２１ｃ内に嵌入された第１連結ポンプ側ブッシュ部材２１６によって支持されている。
【００２８】
そして、このように全てのポンプ部材１１，２１，２２が、インボリュート機構を有するシャフト部材１１２，２１２，２２２により接続されるとともに、インロー機構９１の凸部９１ｂのような連結機構に凸部がないため凸部と凹部とを一のポンプ部材１１に成形加工する必要がなく（基礎ポンプ側凹部１１ｃ及び基礎ポンプ側軸受用内径部１１８は共に凹部であるから同芯状に成形加工が容易。第１連結ポンプ側凹部２１ｃ及び第１連結ポンプ側軸受用内径部２１８についても同様。）、ポンプ部材を３つ以上、多連に接続した場合においても、シャフト部材の芯出しを正確に行うことができるのである。
【００２９】
以上、実施例に基づき本発明を説明したが、上記実施例は、本発明の趣旨を逸脱しない範囲内で種々の改良変形が可能であり、本発明の技術的範囲には、これらの改良変形が含まれる。
【００３０】
例えば、実施例１においては、基礎ポンプ側シャフト部材１１２にインボリュート機構を構成する雄の接続部１１２ａが形成され、連結ポンプ側シャフト部材１２２に雌の接続部１２２ａが形成されている。しかしながら、雄雌を逆としても良い。この場合、連結ポンプ部材１２側に、基礎ポンプ側ブッシュ部材１１６に相当するブッシュ部材を設ける方が好ましい。
【００３１】
また、実施例１においては、二連式のポンプ（タンデムポンプ）について説明し、実施例２においては、三連式のポンプについて説明したが、四連式以上のポンプについても適用可能であることはいうまでもない。
【００３２】
更に、実施例１においては、基礎ポンプ側シャフト部材１１２に雄の接続部１１２ａが形成されるとともに、連結ポンプ側シャフト部材１２２に雌の接続部１２２ａが形成されている。言い換えれば、連結の基礎側のポンプに雄の接続部が形成され、連結側のポンプに雌の接続部が形成されているが、雄雌が逆であっても良いことはいうまでもない。この場合、雄の接続部を有する側のポンプに凹部が形成されることが好ましい。なぜなら、雄の接続部と凹部に配設されたブッシュ部材とで、嵌め込む側である雌の接続部を挟持することができるからである。実施例２に示す三連式ポンプ、及び実施例に示さない四連式以上のポンプについても同様である。
【図面の簡単な説明】
【００３３】
【図１】図１は、本発明の実施例１の多連ポンプ装置の断面図である。
【図２】図２は、多連ポンプ装置のインボリュート機構を示す図である。
【図３】図３は、本発明の実施例２の多連ポンプ装置の断面図である。
【図４】図４は、従来技術の多連ポンプ装置の断面図である。
【符号の説明】
【００３４】
１        多連ポンプ装置
１１      基礎ポンプ部材
１１ａ    端部
１１ｂ    接触面部
１１ｃ    基礎ポンプ側凹部
１１１    基礎ポンプ側ハウジング部材
１１２    基礎ポンプ側シャフト部材
１１３    基礎ポンプ側カートリッジ部材
１１４    基礎ポンプ側ベアリング部材
１１５    基礎ポンプ側シール部材
１１６    基礎ポンプ側ブッシュ部材
１１２ａ  雄の接続部
１１２ｂ  他端部
１２      連結ポンプ部材
１２ａ    連結ポンプ側凹部
１２１    連結ポンプ側ハウジング部材
１２２    連結ポンプ側シャフト部材
１２２ａ  雌の接続部
１２３    連結ポンプ側カートリッジ部材
１２４    連結ポンプ側シール部材
２        多連ポンプ装置
２１      第１連結ポンプ部材
２２      第２連結ポンプ部材
２１１    第１連結ポンプ側ハウジング部材
２１２    第１連結ポンプ側シャフト部材
２１２ａ  雄の接続部
２１２ｂ  雌の接続部
２１３    第１連結ポンプ側カートリッジ部材
２１４    第１連結ポンプ側シール部材
２１５    第１連結ポンプ側ブッシュ部材
２２１    第２連結ポンプ側ハウジング部材
２２２    第２連結ポンプ側シャフト部材
２２３    第２連結ポンプ側カートリッジ部材
２２４    第２連結ポンプ側シール部材
【図１】
2006283573.tif 000003
【図２】
2006283573.tif 000004
【図３】
2006283573.tif 000005
【図４】
2006283573.tif 000006